(57)【要約】      （修正有）【課題】携帯性に優れ、容易に暖を取ることができ、更には調理に用いることが可能な防災用品を提供する。【解決手段】防災用品１は、多数の成型炭２と、成型炭２を載置可能な金網コンロ４と、金網コンロ４にセット可能な脚部付き焼網５と、成型炭２を着火するのに用いられる着火具７と、成型炭２を把持可能な把持具９と、作業用手袋１０と、上記の全ての物品を収容可能な手提げ袋１５とを有する。【選択図】図１
0003118649.tif 000002
【実用新案登録請求の範囲】
【請求項１】
多数の成型炭と、
前記成型炭を載置可能な金網コンロと、
前記金網コンロにセット可能な脚部付き焼網と、
前記成型炭を着火するのに用いられる着火具と、
前記成型炭を把持可能な把持具と、
作業用手袋と、
前記全ての物品を収容可能な手提げ袋と、
を有する防災用品。
【請求項２】
前記成型炭は、廃木材を炭化処理して作成されたものであることを特徴とする請求項１に記載の防災用品。
【考案の詳細な説明】
【技術分野】
【０００１】
本考案は、災害時などに使用される防災用品に関する。
【背景技術】
【０００２】
近年、日本列島では各種災害（地震、台風など）が多発する傾向にあり、大きな災害によって家屋が倒壊するケースが生じている。大きな災害が生じて家屋が倒壊するようなケースでは、様々な団体により救助活動が開始されるが、災害が大きくなったり、長期に亘ったり、或いは、大都市から離れた地域で発生した場合等、救助活動が遅れたり、或いは充分な救助が得られない場合がある。
【０００３】
そこで、このような災害に備えて、災害時に持ち出すことが可能な家庭用の防災用品が市販されている。一般的に、持ち出し可能な防災用品には、少なくとも非常食（乾パン、缶詰、飲料水等）が備蓄されており、災害が発生した際に、この防災用品を持ち出すことで、少なくとも２〜３日は、食料が確保できるようにしている。
【考案の開示】
【考案が解決しようとする課題】
【０００４】
ところで、このような大きな災害が生じると、電気やガス等のライフラインが遮断されていることが多いため、災害が寒冷地、或いは厳冬期に発生すると、被災者は、暖を取るのが難しい状況となってしまう。また、非常食の中にも、湯や熱源を必要とするものがあることから、そのような非常食を飲食することができない、という状況が生じてしまう。この場合、暖を取るために大きなコンロ（七輪等）を防災用品として組み込んでおくことも考えられるが、そのようなコンロは、通常、重く、取扱が不便であることから、携帯用としては不向きである。
【０００５】
本考案は、上記した事情に基づいて成されたものであり、携帯性に優れ、容易に暖を取ることができ、更には調理に用いることが可能な防災用品を提供することを目的とする。
【課題を解決するための手段】
【０００６】
上記した目的を達成するために、本考案に係る防災用品は、多数の成型炭と、前記成型炭を載置可能な金網コンロと、前記金網コンロにセット可能な脚部付き焼網と、前記成型炭を着火するのに用いられる着火具と、前記成型炭を把持可能な把持具と、作業用手袋と、前記全ての物品を収容可能な手提げ袋とを有することを特徴とする。
【０００７】
上記した防災用品は、災害時に手提げ袋として携行される。その中には、上記した多数の成型炭、金網コンロ、脚部付き焼網、着火具、把持具、及び作業用手袋が収容されており、使用時には、金網コンロに成型炭を載置し、これに着火具によって着火することで暖を取ることが可能となる。そして、成型炭を載せた金網コンロ上に脚部付き焼網をセットすることで、湯を沸かしたり、食材等を焼くことが可能となる。
【考案の効果】
【０００８】
本考案によれば、携帯性に優れ、容易に暖を取ることができ、更には調理に用いることが可能な防災用品が得られる。
【考案を実施するための最良の形態】
【０００９】
以下、本考案に係る防災用品の一実施形態について説明する。  
図１は、本考案に係る防災用品の構成物品を示す図である。防災用品１は、多数の成型炭２を収容する箱体３と、成型炭２を載置可能な金網コンロ４と、金網コンロ４にセット可能な脚部付き焼網５と、成型炭２を着火するのに用いられる着火具７（ここでは、着火剤７ａ及びマッチ７ｂで構成される）と、成型炭２を把持可能な把持具（トング）９と、作業用手袋（軍手）１０と、上記した各物品（成型炭２を収容した箱体３、金網コンロ４、脚部付き焼網５、着火具７、把持具９、作業用手袋１０）を収容可能な手提げ袋１５とを備えて構成される。
【００１０】
前記成型炭２は、箱体３に整然と収容できるように、所定の製造工程によって円柱形状に形成されている（図４参照）。この場合、成型炭２は、好ましくは複数種類の長さのもの（４．５ｃｍ程度の成型炭２ａ、及び９ｃｍ程度の成型炭２ｂ）が用意され、これらは好ましくは、廃木材（間伐材、流木材等）を炭化処理して作成されている。すなわち、一般的に知られているような自然木から作成された炭ではなく、所定の製造工程によって廃木材を炭化処理して形成される円柱形状の成型炭とすることで、箱体３に対する単位体積当たりの収容量を最大限にすることが可能となる。また、１３００℃程度の温度で炭化処理をすることで、固定炭素率を向上することが可能となり（９３％以上）、極めて火付きが良く、より優れた遠赤外線効果を発揮するようになる。
【００１１】
前記金網コンロ４は、図２及び図４に示すように、矩形のフレーム（受け皿）４ａと、矩形のフレーム４ａに設置される格子状の網部４ｂとを備えており、網部４ｂに成型炭２を載置するようになっている。また、フレーム４ａには、持ち運び用の取っ手４ｃが設けられている。
【００１２】
前記脚部付き焼網５は、図３に示すように、矩形の網部５ａと、その両端に設けられる折り畳み可能な一対の脚部５ｂとを備えており、脚部５ｂは、前記金網コンロ４のフレーム４ａに載置できるように構成されている。すなわち、図５に示すように、脚部付き焼網５を金網コンロ４にセットすることで、網部４ｂと網部５ａとの間には、成型炭２が位置する所定の空間が形成される。
【００１３】
上記した各物品は手提げ袋１５に収納されることで、災害時に、容易に持ち出しできるように構成されている。
【００１４】
実際の使用に際しては、例えば、図４（ａ）に示すように、金網コンロ４の網部４ｂの中央に、長さ４．５ｃｍの成型炭２ａを縦にして真ん中に空間が生じるように置き、その外側に長さ９ｃｍの成型炭２ｂを横にして３〜４本置く。この状態で上記真ん中の空間に着火剤７ａを置き、図４（ｂ）に示すようにマッチ７ｂで火をつける。成型炭２が着火し始めた後、図５に示すように、前記脚部付き焼網５の脚部５ｂを立てて金網コンロ４上にセットする。そして、図６に示すように、脚部付き焼網５の網部５ａにやかん、鍋等を載せ、調理を行なう。もちろん、網部５ａには、直接、食材を載せても良いし、そのような調理を行なわない場合は、暖を取る道具としても利用することが可能となる。この場合、必要に応じて、上記した把持具９、作業用手袋１０が用いられる。
【００１５】
上記した構成によれば、非常時に、容易に暖かい飲み物、食べ物が作れ、しかも、軽く持ち運びが可能な防災用品が得られる。
【００１６】
以上、本考案の実施形態について説明したが、本考案は、上記した実施形態以外にも、種々変形することが可能である。例えば、防災用品を構成する部材（成型炭、金網コンロ、網焼き、手提げ袋）については、一例を示したに過ぎず、その形状や構成については適宜変形することが可能である。また、その使用方法については、適宜変形することが可能である。
【図面の簡単な説明】
【００１７】
【図１】本考案に係る防災用品の構成を示す図。
【図２】金網コンロの構成を示す図。
【図３】脚部付き焼網の構成を示す図。
【図４】（ａ）は金網コンロに成型炭を載せた状態を示す図、（ｂ）は着火した状態を示す図。
【図５】金網コンロに脚部付き焼網をセットした状態を示す図。
【図６】使用方法の一例を示す図。
【符号の説明】
【００１８】
１  防災用品
２  成型炭
４  金網コンロ
５  脚部付き焼網
７  着火具
９  把持具（トング）
１０  作業用手袋（軍手）
１５  手提げ袋
【図１】
0003118649.tif 000003
【図２】
0003118649.tif 000004
【図３】
0003118649.tif 000005
【図４】
0003118649.tif 000006
【図５】
0003118649.tif 000007
【図６】
0003118649.tif 000008